(57)【要約】【課題】より多くの人々へ普及しやすく、かつ、携帯性に優れる組み立て式の笛を提供する。【解決手段】平面素材１０が折り曲げられて形成される組み立て式の笛１である。組み立て式の笛１を構成する平面素材１０には、筒状体に組み立てるための複数の折れ線２１〜２４と、筒状体の内部において通気方向に沿って傾斜するスロープ部６１を切り出すスロープ部切り出し線５２と、筒状体においてスロープ部６１によって狭くされた位置近傍に形成される孔部５１と、が設けられることを特徴としている。【選択図】図１
2019164311.tif 000002
【特許請求の範囲】
【請求項１】
平面素材が折り曲げられて形成される組み立て式の笛であって、
前記平面素材には、
筒状体に組み立てるための複数の折れ線と、
前記筒状体の内部において通気方向に沿って傾斜するスロープ部を切り出すスロープ部切り出し線と、
前記筒状体において前記スロープ部によって狭くされた位置近傍に形成される孔部と、が設けられる、組み立て式の笛。
【請求項２】
前記平面素材には、前記筒状体の内部において通気方向に交差するブラケット部を切り出すブラケット部切り出し線がさらに設けられ、
前記スロープ部は、前記ブラケット部に支持されるように形成される、請求項１に記載された組み立て式の笛。
【請求項３】
前記平面素材は、四角形に形成されている、請求項１又は請求項２に記載された組み立て式の笛。
【請求項４】
前記平面素材の対向する辺には、組み立てられた状態で互いに噛み合うＬ字型の切れ込みがそれぞれ設けられている、請求項３に記載された組み立て式の笛。
【請求項５】
請求項２乃至請求項４のいずれか一項に記載された組み立て式の笛の使用方法であって、
前記平面素材を複数の前記折れ線によって折り曲げて筒状体に組み立てるステップと、
前記スロープ部切り出し線によって前記スロープ部を切り出すステップと、
前記ブラケット部切り出し線によって前記ブラケット部を切り出すステップと、
前記ブラケット部に前記スロープ部を支持させるステップと、を備える、組み立て式笛の使用方法。
【発明の詳細な説明】
【技術分野】
【０００１】
本発明は、名刺やカードなどを含む平面素材から構成される組み立て式の笛に関するものである。
【背景技術】
【０００２】
従来から、防犯時や災害時の救助要請を目的として、携帯式の笛が提案されているものの、より広い普及と携帯性を両立することは困難であった。
【０００３】
これに対して、平面素材を用いた組立て式の笛は、携帯性の点でより優れているといえる（例えば、特許文献１参照）。
【先行技術文献】
【特許文献】
【０００４】
【特許文献１】特開２００７−３２２８５８号公報
【発明の概要】
【発明が解決しようとする課題】
【０００５】
しかしながら、従来の平面素材からなる笛は、笛としての用途のみが想定されている。このため、従来の平面素材からなる笛は、多くに人々へ広く普及することがなかった。
【０００６】
そこで、本発明は、より多くの人々へ普及しやすく、かつ、携帯性に優れる組み立て式の笛を提供することを目的としている。
【課題を解決するための手段】
【０００７】
前記目的を達成するために、本発明の組み立て式の笛は、平面素材が折り曲げられて形成される組み立て式の笛であって、前記平面素材には、筒状体に組み立てるための複数の折れ線と、前記筒状体の内部において通気方向に沿って傾斜するスロープ部を切り出すスロープ部切り出し線と、前記筒状体において前記スロープ部によって狭くされた位置近傍に形成される孔部と、が設けられる。
【発明の効果】
【０００８】
このように、本発明の組み立て式の笛は、平面素材が折り曲げられて形成される組み立て式の笛であって、平面素材には、筒状体に組み立てるための複数の折れ線と、筒状体の内部において通気方向に沿って傾斜するスロープ部を切り出すスロープ部切り出し線と、筒状体においてスロープ部によって狭くされた位置近傍に形成される孔部と、が設けられる。このような構成であるため、本発明の組み立て式の笛は、より多くの人々へ普及しやすく、かつ、携帯性に優れる組み立て式の笛となる。
【図面の簡単な説明】
【０００９】
【図１】四角形の平面素材の正面図である。
【図２】平面素材を笛に組み立てる途中の斜視図である。
【図３】平面素材を笛に組み立てる途中の斜視図である。
【図４】組み立てが完了した組み立て式の笛の斜視図である。
【発明を実施するための形態】
【００１０】
以下、本発明の実施の形態について図面を参照して説明する。
【実施例】
【００１１】
まず、図１及び図４を用いて本発明の組み立て式の笛１を構成する平面素材１０の構成について説明する。
【００１２】
本発明の組み立て式の笛１を構成する平面素材１０は、図１に示すように、名刺又はカードなどの、財布に収納できる寸法の、四角形（長方形）の平面素材１０である。平面素材１０の材質としては、紙、プラスチックなどがあるが、防水や湿気止めのためのコーティングがなされることが好ましい。
【００１３】
そして、この四角形の平面素材１０には、図１に示すように、山折り線、切れ込み、孔部（ラピューム穴）、切り出し線などが設けられている。より詳細に言うと、平面素材１０には、複数の折れ線としての４つの山折り線２１〜２４と、４つのＬ字型の切れ込み４１〜４４と、１つの孔部５１と、２つの切り出し線５２、５４及び２つの折り線５３、５５と、が設けられている。
【００１４】
４つの山折り線２１〜２４は、四角形（長方形）の平面素材１０の長辺と平行に平面素材を５等分するように、等間隔に平行に配置されるものである。そして、４つの山折り線２１〜２４によって、平面素材１０は、５つの側面（すなわち、第１の側面３１、第２の側面３２、第３の側面３３、第４の側面３４、第５の側面３５）に分割されて折り曲げられる。後述するように、第1の側面３１と第５の側面３５は、重なり合うように折り曲げられる。組み立てられた状態では、第１の側面３１（及び第５の側面３５）が、第３の側面３３と対向し、第２の側面３２と第４の側面３４が対向するようにされる。
【００１５】
４つのＬ字型の切れ込み４１〜４４は、四角形（長方形）の平面素材１０の対向する長辺にそれぞれ２つずつ配置される。すなわち、一方の長辺に設けられる２つのＬ字型の切れ込み４１、４２は、他方の長辺に設けられる２つのＬ字型の切れ込み４３、４４に対応する位置に配置され、Ｌ字が噛み合うように逆向きに形成される。したがって、第1の側面３１と第５の側面３５が、重なり合うように折り曲げられた状態では、Ｌ字型の切れ込み４１とＬ字型の切れ込み４３が噛み合い、Ｌ字型の切れ込み４２とＬ字型の切れ込み４４が噛み合うようになっている。
【００１６】
１つの孔部５１は、第３の側面３３の中寄りの位置に配置される開口部である。より詳細に言うと、孔部５１（ラピューム穴とも称する）は、筒状体の内部において、スロープ部６１によって狭くされた位置近傍に形成される。換言すると、孔部５１は、スロープ部切り出し線５２の近傍に配置される。
【００１７】
２つの切り出し線５２、５４及び２つの折り線５３、５５は、スロープ部６１と、ブラケット部６２を形成するために設けられる。
【００１８】
このうち、スロープ部６１は、第５の側面３５にＬ字状に形成されたスロープ部切り出し線５２によって切断し、スロープ部折り線５３によって浅い角度に折り曲げることで形成される。スロープ部６１には、平面素材１０の長辺側から、小さい切り欠き６１ａが形成されている。
【００１９】
また、ブラケット部６２は、第４の側面３４に概略Ｌ字状に形成されたブラケット部切り出し線５４によって切断し、ブラケット部折り線５５によって略直角に折り曲げることで形成される。ブラケット部６２には、先端側の隅角部に掛止片６２ａが形成されている。
【００２０】
そして、後述するように、組み立てる際に、スロープ部６１の切り欠き６１ａと、ブラケット部６２の掛止片６２ａが掛止されることで、スロープ部６１の角度・位置が固定されて、孔部５１との間隔が所望の間隔に保持されるようになるのである。
【００２１】
（作用）
次に、図２と図３を用いて、本実施例の組み立て式の笛１の組み立て手順について説明する。
【００２２】
はじめに、図２に示すように、第４の山折り線２４に沿って、第５の側面３５を平面素材１０（第１の側面３１〜第４の側面３４）に対して略直角に折り曲げる。これと並行して、スロープ部６１とブラケット部６２を立ち上げる。すなわち、スロープ部切り出し線５２に沿ってスロープ部６１を切り出すとともに、スロープ部折り線５３に沿ってスロープ部６１を第５の側面３５に対して一時的に略直角に折り曲げる。また、ブラケット部切り出し線５４に沿ってブラケット部６２を切り出すとともに、ブラケット部折り線５５に沿ってブラケット部６２を第４の側面３４に対して略直角に折り曲げる。
【００２３】
次に、図３に示すように、ブラケット部６２によってスロープ部６１を支持させる。すなわち、ブラケット部６２の上に、スロープ部６１の傾斜角度（折り曲げ角度）を戻しながら載置する。この際、ブラケット部６２の掛止片６２ａを、スロープ部６１に設けた切り欠き６１ａに掛止させることで、両者を互いに固定する。
【００２４】
続いて、第３の山折り線２３、第２の山折り線２２、及び、第１の山折り線２１に沿って、平面素材１０を順に略直角に折り曲げる。そして、第５の側面３５と第１の側面３１とが重なり合うようにする。この際、Ｌ字型の切れ込み４１とＬ字型の切れ込み４３が噛み合い、Ｌ字型の切れ込み４２とＬ字型の切れ込み４４が噛み合うようにされる。
【００２５】
これによって、図４に示すように、内部にスロープ部６１によって狭められた部分が存在している、正方形断面の筒状体が構成される。そして、実際に音を発生させるためには、第４の側面３４に開口している、ブラケット部６２に相当する開口部を指で押さえながら、図中左方向から、筒状体内部に息を強く吹き込むことで音が発生するようになる。
【００２６】
（効果）
次に、本実施例の組み立て式の笛１の奏する効果を列挙して説明する。
【００２７】
（１）上述してきたように、本実施例の組み立て式の笛１は、平面素材１０が折り曲げられて形成される組み立て式の笛１であって、平面素材１０には、筒状体に組み立てるための複数の折れ線２１〜２４と、筒状体の内部において通気方向に沿って傾斜するスロープ部６１を切り出すスロープ部切り出し線５２と、筒状体においてスロープ部６１によって狭くされた位置近傍に形成される孔部５１と、が設けられることを特徴としている。このような構成であるため、本実施例の組み立て式の笛１は、より多くの人々へ普及しやすく、かつ、携帯性に優れる組み立て式の笛となる。
【００２８】
すなわち、組み立て前の状態では、カード、名刺、ポイントカード等としての機能が発揮され、組み立て後の状態では、息を吹き込むことで高音を発することができる笛としての機能が発揮される。
【００２９】
さらに、組み立て式の笛１は、カード乃至は名刺等の平面素材１０であるため、安価かつ容易に提供することが出来る。さらに、小型軽量の平面素材１０であることから携帯性に優れ、特殊な道具や接着を用いることなく容易に組み立てることが出来るため、使用者を選ぶことなくより多くの人々への普及することにより、災害時における減災に大きく貢献できる。
【００３０】
（２）また、組み立て式の笛１において、平面素材１０には、筒状体の内部において通気方向に交差するブラケット部６２を切り出すブラケット部切り出し線５４がさらに設けられ、スロープ部６１は、ブラケット部６２に支持されるように組み立てることができる。このように構成すれば、スロープ部６１を正確な位置に配置することができるため、筒状体に組み立てた状態で孔部５１との隙間を詳細に調整することができる。
【００３１】
（３）さらに、組み立て式の笛１において、平面素材１０は、四角形に形成されているため、名刺やカードなどとして利用しやすい形状となっている。この点、平面素材１０の表面には、絵柄や文字などが印刷されていることも好ましい。
【００３２】
さらに言えば、平面素材１０の表面に、２次元バーコードが印刷されており、リンク先に組み立て方法を説明する動画が存在すれば、この動画を見ながら組み立て式の笛１を組み立てることができる。
【００３３】
（４）また、組み立て式の笛１において、平面素材１０の対向する辺には、組み立てられた状態で互いに噛み合うＬ字型の切れ込み４１〜４４がそれぞれ設けられていることによって、組み立て式の笛１の全体を正確な形状にできるとともに、一度組み立てた組み立て式の笛１が解けてしまう（分解してしまう）ことを防止できる。
【００３４】
（５）さらに、本実施例の組み立て式の笛１の使用方法は、上述したいずれかの組み立て式の笛１の使用方法であって、平面素材１０を複数の折れ線２１〜２４によって折り曲げて筒状体に組み立てるステップと、スロープ部切り出し線５２によってスロープ部６１を切り出すステップと、ブラケット部切り出し線５４によってブラケット部６２を切り出すステップと、ブラケット部６２にスロープ部６１を支持させるステップと、を備えている。このようにすれば、組み立て式の笛１を容易に組み立てることができる。
【００３５】
以上、図面を参照して、本発明の実施例を詳述してきたが、具体的な構成は、この実施例に限らず、本発明の要旨を逸脱しない程度の設計的変更は、本発明に含まれる。
【００３６】
例えば、実施例では、ブラケット部６２は、第５の側面３５に配置される場合について説明したが、これに限定されるものではなく、ブラケット部６２は、第２の側面３２に配置されることも好ましい。
【００３７】
また、平面素材１０は、正方形であってもよいし、角丸の四角形であってもよいし、楕円形に近い形状などであってもよい。要するに、平面素材１０は、平面状態で所定の用途（例えば、名刺やポイントカード等）に使用することができるもので、かつ、筒状に組み立てられる形状であれば、どのような形状であってもよい。この点、角丸の四角形や長方形であれば、名刺やポイントカード等の用途に適しており、財布にも入りやすいために好ましいといえる。
【符号の説明】
【００３８】
１          組み立て式の笛
１０        平面素材
２１〜２４  山折り線
３１〜３５  側面
４１〜４４  Ｌ字型の切れ込み
５１        孔部
５２        スロープ部切り出し線
５３        スロープ部折り線
５４        ブラケット部切り出し線
５５        ブラケット部折り線
６１        スロープ部
６１ａ      切り欠き
６２        ブラケット部
６２ａ      掛止片
【図１】
2019164311.tif 000003
【図２】
2019164311.tif 000004
【図３】
2019164311.tif 000005
【図４】
2019164311.tif 000006
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
平面素材が折り曲げられて形成される組み立て式の笛であって、
前記平面素材には、
筒状体に組み立てるための複数の折れ線と、
前記筒状体の内部において通気方向に沿って傾斜するスロープ部を切り出すスロープ部切り出し線と、
前記筒状体において前記スロープ部によって狭くされた位置近傍に形成される孔部と、が設けられ、
前記平面素材には、前記筒状体の内部において通気方向に交差するブラケット部を切り出すブラケット部切り出し線がさらに設けられ、
前記スロープ部は、前記ブラケット部に支持されるように形成される、組み立て式の笛。
【請求項２】
前記平面素材は、四角形に形成されている、請求項１に記載された組み立て式の笛。
【請求項３】
前記平面素材の対向する辺には、組み立てられた状態で互いに噛み合うＬ字型の切れ込みがそれぞれ設けられている、請求項２に記載された組み立て式の笛。
【請求項４】
請求項１乃至請求項３のいずれか一項に記載された組み立て式の笛の使用方法であって、
前記平面素材を複数の前記折れ線によって折り曲げて筒状体に組み立てるステップと、
前記スロープ部切り出し線によって前記スロープ部を切り出すステップと、
前記ブラケット部切り出し線によって前記ブラケット部を切り出すステップと、
前記ブラケット部に前記スロープ部を支持させるステップと、を備える、組み立て式笛の使用方法。